(57)【要約】【課題】ループ状の捕獲ワイヤの縮径作動を可及的に迅速化して獲物を捕獲しやすい縮径作動パイプ構造を提供する。【解決手段】害獣の脚部を捕獲するために先方にループ部を形成した捕獲ワイヤの左右自由端ワイヤを挿貫した二本のワイヤ挿通パイプと、該パイプの先端に設けたワイヤガイド体と、該パイプの後端に設け捕獲ワイヤを弛緩方向にのみ通過可能でワイヤの引っぱり緊張方向では止着固定すべく構成したワイヤストッパー機能体と、ワイヤ挿通パイプ中において、ワイヤガイド体とワイヤストッパー機能体との間に圧縮介在した巻きバネとより構成し、しかも巻きバネの巻き中空部に捕獲ワイヤを挿通することでループ状の捕獲ワイヤの左右自由端ワイヤを圧縮した巻きバネのひっぱり付勢によりワイヤストッパー機能体を介して、引っ張り止着し、ループ部の縮径作動を可及的迅速に行うように構成した害獣捕獲具に用いるループ状捕獲ワイヤの縮径作動パイプ構造。【選択図】図２
2020124153.tif 000002
【特許請求の範囲】
【請求項１】
害獣の脚部を捕獲するために先方にループ部を形成した捕獲ワイヤの左右自由端ワイヤを挿貫した二本のワイヤ挿通パイプと、
該パイプの先端に設けたワイヤガイド体と、
該パイプの後端に設け捕獲ワイヤを弛緩方向にのみ通過可能でワイヤの引っぱり緊張方向では止着固定すべく構成したワイヤストッパー機能体と、
ワイヤ挿通パイプ中において、ワイヤガイド体とワイヤストッパー機能体との間に圧縮介在した巻きバネとより構成し、しかも巻きバネの巻き中空部に捕獲ワイヤを挿通することによりループ状の捕獲ワイヤの左右自由端ワイヤを圧縮した巻きバネのひっぱり付勢によりワイヤストッパー機能体を介して、引張り止着し、ループ部の縮径作動を可及的迅速に行うように構成した害獣捕獲具に用いるループ状捕獲ワイヤの縮径作動パイプ構造。
【発明の詳細な説明】
【技術分野】
【０００１】
本発明は、害獣捕獲具に用いるループ状捕獲ワイヤの縮径作動パイプ構造に関する。
【背景技術】
【０００２】
従来、害獣の捕獲具は、踏板と、ループ状捕獲ワイヤと、捕獲ワイヤを隠した踏板の作動を捕獲ワイヤに連動させるための連動技術とよりなる。
従って、ループ状の捕獲ワイヤは害獣が踏板を踏むと踏板の降下作動に連動し、この連動機構を介してループ状の捕獲ワイヤが縮径して害獣の脚部を捕獲する（例えば、特許文献１）。
【先行技術文献】
【特許文献】
【０００３】
【特許文献１】特開２０１７−１６９５５４号公報
【発明の概要】
【発明が解決しようとする課題】
【０００４】
従来、かかるループ状の捕獲ワイヤは一端を装置に固定し、他端を引張って縮径するように構成している。そのため、捕獲ワイヤのループ部を縮径するためには一定時間ワイヤを引張ってループ部を縮径しなければならず、捕獲するためのループ径に縮径する時間も長くなり捕獲効率や捕獲確率が低下し、害獣の取り逃がしを招くことが多かった。
【０００５】
そこで、本発明ではループ状の捕獲ワイヤを両端から引張ってループ部の縮径作動を可及的に迅速化して上記欠陥を解消することができる捕獲ワイヤの縮径作動パイプ構造を提供する。
【課題を解決するための手段】
【０００６】
この発明は、害獣の脚部を捕獲するために先方にループ部を形成した捕獲ワイヤの左右自由端ワイヤを挿貫した二本のワイヤ挿通パイプと、該パイプの先端に設けたワイヤガイド体と、該パイプの後端に設け捕獲ワイヤを弛緩方向にのみ通過可能でワイヤの引っぱり緊張方向では止着固定すべく構成したワイヤストッパー機能体と、ワイヤ挿通パイプ中において、ワイヤガイド体とワイヤストッパー機能体との間に圧縮介在した巻きバネとより構成し、しかも巻きバネの巻き中空部に捕獲ワイヤを挿通することによりループ状の捕獲ワイヤの左右自由端ワイヤを圧縮した巻きバネのひっぱり付勢によりワイヤストッパー機能体を介して、引張り止着し、ループ部の縮径作動を可及的迅速に行うように構成した害獣捕獲具に用いるループ状捕獲ワイヤの縮径作動パイプ構造を提供せんとするものである。
【発明の効果】
【０００７】
この発明によれば、害獣の脚部を捕獲するために先方にループ部を形成した捕獲ワイヤの左右自由端ワイヤを挿貫した二本のワイヤ挿通パイプと、該パイプの先端に設けたワイヤガイド体と、該パイプの後端に設け捕獲ワイヤを弛緩方向にのみ通過可能でワイヤの引っぱり緊張方向では止着固定すべく構成したワイヤストッパー機能体と、ワイヤ挿通パイプ中において、ワイヤガイド体とワイヤストッパー機能体との間に圧縮介在した巻きバネとより構成し、しかも巻きバネの巻き中空部に捕獲ワイヤを挿通することによりループ状の捕獲ワイヤの左右自由端ワイヤを圧縮した巻きバネのひっぱり付勢によりワイヤストッパー機能体を介して、引張り止着し、ループ部の縮径作動を可及的迅速に行うように構成したことにより、捕獲ワイヤのループ部を縮径させるために、ループ部の左右両自由端ワイヤを引っ張るが、この際に、巻きバネの圧縮から解放作動の復元応力を利用して捕獲ワイヤを引張りループ部を縮径して害獣の脚体にループ部を巻きつけて捕縛する。
【０００８】
特に本発明によれば、ループ部の左右両自由端を巻きバネにより同時に引張ってループ部を縮径させることになるため、捕獲ワイヤの引張り量は片方のループ自由端を固定した構造と比較して、その半分の引張り量と引張り応力でループ部の縮径作動が可能となり、その分ループ部の縮径時間を短縮して瞬時にループ部を縮径して害獣の脚体捕縛を可能とすることができる効果がある。
【図面の簡単な説明】
【０００９】
【図１】本発明の実施形態を示す縮径作動パイプ構造を有する害獣の捕獲装置の全体を示す斜視図である。
【図２】本発明の実施形態を示すループ状捕獲ワイヤの縮径作動パイプ構造における断面図である。
【図３】本発明の実施形態を示す縮径作動パイプ構造を有する害獣の捕獲装置の作動を示す図である。
【発明を実施するための形態】
【００１０】
この発明の要旨は害獣の脚部を捕獲するために先方にループ部を形成した捕獲ワイヤの左右自由端ワイヤを挿貫した二本のワイヤ挿通パイプと、該パイプの先端に設けたワイヤガイド体と、該パイプの後端に設け捕獲ワイヤを弛緩方向にのみ通過可能でワイヤの引っぱり緊張方向では止着固定すべく構成したワイヤストッパー機能体と、ワイヤ挿通パイプ中において、ワイヤガイド体とワイヤストッパー機能体との間に圧縮介在した巻きバネとより構成し、しかも巻きバネの巻き中空部に捕獲ワイヤを挿通することによりループ状の捕獲ワイヤの左右自由端ワイヤを圧縮した巻きバネのひっぱり付勢によりワイヤストッパー機能体を介して、引張り止着し、ループ部の縮径作動を可及的迅速に行うように構成した害獣捕獲具に用いるループ状捕獲ワイヤの縮径作動パイプ構造としたことにある。
【００１１】
この発明の実施例を図面に基づき詳説する。
図１は、本発明の縮径作動パイプ構造を有する害獣の捕獲装置の全体説明図であり、図２は、本発明の捕獲ワイヤの縮径作動パイプ構造の断面模式説明図である。
【００１２】
まず、害獣の捕獲装置Ａの一実施例を説明する。
筒基盤２の周壁１の相対する位置には、半円弧状の一定幅員で帯状の左右ワイヤ保持体３の両端部をそれぞれ枢支している。
【００１３】
左右ワイヤ保持体３は、半円弧状に形成して、枢支部４を中心に倒状した状態では、常に左右水平にならないように枢支部４と、左右ワイヤ保持体３の基部とにわたってコイルバネ５を介設することで左右ワイヤ保持体３は、コイルバネ５により、起立状態に付勢されている。
【００１４】
かかる左右ワイヤ保持体３を付勢に抗して倒状した略水平状態においてトラップ機能を有する捕獲ワイヤａは、そのループ部ａ”で左右ワイヤ保持体３の帯体の外側面に当接して、左右ワイヤ保持体３の半弧状外側面３´を囲繞する。そして、捕獲ワイヤａの両自由端、すなわち、ループ基部は、左右ワイヤ保持体３の一方の枢支部４の位置で合流して後述するワイヤ縮径付勢機構ｂに連結される。
【００１５】
かかる構成において、筒基盤２と略同形の踏板６が筒基盤２の上縁開口部に装着される。
【００１６】
すなわち、踏板６は、ほぼ水平状の左右ワイヤ保持体３の内側に遊嵌して、水平に装着されており、特に踏板６の周側壁６´外周面が、半円弧状の左右ワイヤ保持体３の帯体外側面の下縁部と当接係合するように嵌着する。
【００１７】
すなわち、図１に示すように、左右ワイヤ保持体３は、略水平状の左右開放した形態において、その内側に踏板６が嵌着されて、踏板６の周側壁６´の外側面に左右ワイヤ保持体３下縁部が当接して圧着係合状態となる。かかる踏板６によって左右ワイヤ保持体３は、コイルバネ５の付勢力に抗して筒基盤２に沿って水平開放状態を保持する。
【００１８】
かかる踏板６と、左右ワイヤ保持体３と、左右ワイヤ保持体３外周面で当接保型したループ状の捕獲ワイヤａとの三部材によって、害獣の脚体捕獲機構が構成される。
【００１９】
すなわち、かかる捕獲機構において、害獣の脚体が踏板６を踏むと、踏板６が降下し、左右ワイヤ保持体３との係合が外れる。その結果、捕獲ワイヤａをループ状に保持していた左右ワイヤ保持体３の水平開放形態を解消して、左右ワイヤ保持体３は、コイルバネ５の付勢により、起立作動する。左右ワイヤ保持体３の外周に巻回支持した捕獲ワイヤａのループ部ａ”も同時に左右ワイヤ保持体３によって持ち上げられて迅速に害獣の脚体を囲繞する。
【００２０】
同時に、捕獲ワイヤａのループ部ａ”は、左右ワイヤ保持体３の規制が解除されて、後述するワイヤ縮径付勢機構ｂによって、捕獲ワイヤａの自由端が引張られてループ部ａ”が縮径して害獣の脚体を捕縛する。
【００２１】
次に、図２を参照してループ部を形成した捕獲ワイヤａを緊張作動するためのワイヤ縮径付勢機構ｂについて説明する。すなわち、筒基盤２の周側壁６´において、左右ワイヤ保持体３の枢支部４の対面に切欠部を形成し、この切欠部にワイヤ縮径付勢機構ｂを装着する。ワイヤ縮径付勢機構ｂは、二本のワイヤ挿通パイプ７、７´と、該２本のパイプを一体に並存した外形ケース８と、各ワイヤ挿通パイプ７、７´中にそれぞれ遊嵌したバネ収納パイプ９と、バネ収納パイプ９の先端にそれぞれ取付けたワイヤガイド部材１０と、バネ収納パイプ９中に圧縮して収納した巻きバネ１１と、バネ収納パイプ９の終端において捕獲ワイヤａをワイヤのループ部ａ”方向へ挿通可能としながら、その反対方向へはストッパー機能を果たして捕獲ワイヤａを一体固定するストッパー機能部材１２と巻きバネ１１中に挿通した捕獲ワイヤａにおける自由端ワイヤａ´とより構成されている。
【００２２】
かかるワイヤ縮径付勢機構ｂは、次のように機能する。すなわち、害獣の脚体が踏板６を踏んだ際に、捕獲ワイヤａのループ部ａ”のループ規制が解除されてワイヤ縮径付勢機構ｂにより引張られて、ループ部ａ”が縮径して害獣の脚体を捕縛する。その作用を時系列に説明すると、まず、
ｉ）踏板６が外れる、ｉｉ）左右ワイヤ保持体３がコイルバネ５の付勢により起立する、ｉｉｉ）捕獲ワイヤａのループ部ａ”が左右ワイヤ保持体３の起立姿勢への変位により左右ワイヤ保持体３から離脱してループ部ａ”の規制が外れる、ｉｖ）ワイヤ縮径付勢機構ｂ中において、圧縮状でワイヤ挿通パイプ７、７´中に収納した巻きバネ１１が伸長してワイヤガイド部材１０をループ部ａ”側移動させると共に、ストッパー機能部材１２を介して捕獲ワイヤａの自由端ワイヤａ´をループ部ａ”を縮径方向に引張る、ｖ）縮径作動するループ部ａ”は、跳ね上がって害獣の脚体を捕縛する。
【００２３】
ストッパー機能部材１２は内筒１１−１と内周面をテーパ状とする外筒１１−２とで構成している。内筒１１−１の周壁にはボール挿通孔１１−３を穿設しており、球形状のボール１１−４が内筒１１−１と外筒１１−２との間でボール挿通孔１１−３を介して移動し、ワイヤの一方向のみのワイヤ挿通機能を果たす。従って、捕獲ワイヤａの自由端ワイヤａ´をストッパー機能部材１２中からループ部方向に引張ってループ部を左右ワイヤ保持体３が起立してループ部ａ”をループ状態に維持する規制がなくなると、圧縮された巻きバネ１１の弾性力によりワイヤガイド部材１０が捕獲ワイヤａのループ部方向に移動すると共に、巻きバネ１１がワイヤ挿通パイプ７、７´及びストッパー機能部材１２を自由端ａ´側に移動させようとする付勢力が生起される。
すると、ストッパー機能部材１２のボール挿通孔１１−３に配設したボール１１−４が外筒１１−１のテーパ状内周面に当接して内筒１１−２の中心方向に変位させられることで自由端ワイヤａ´を押圧し、自由端ワイヤａ´とストッパー機能部材１２とが一体となる。
その結果、巻きバネ１１の弾性力によりストッパー機能部材１２は自由端ワイヤａ´側に変位しようとする付勢力が生起され、ワイヤ挿通パイプ７、７´とストッパー機能部材１２とが一体となって自由端ワイヤａ´側に移動すると共に、自由端ワイヤａ´とストッパー機能部材１２とがストッパー機能部材１２内に設けたボール１１−４の押圧作用により一体に移動できる構成とすることで、ストッパー機能部材１２の自由端ワイヤａ´方向への移動に伴いループ部ａ”を縮径して害獣を捕獲できる。
【００２４】
このようにして、踏板６と左右ワイヤ保持体３とループ状の捕獲ワイヤａと、ワイヤ縮径付勢機構ｂとにより、害獣のトラップ機能が作動する。
【符号の説明】
【００２５】
１  側壁
２  筒基盤
３  左右ワイヤ保持体
４  枢支部
５  コイルバネ
６  踏板
６´周側壁
７，７´ワイヤ挿通パイプ
８  外形ケース
９  バネ収納パイプ
１０  ワイヤガイド部材
１２  ワイヤストッパー機能部材
１１  巻きバネ
Ａ  害獣捕獲具
ａ  捕獲ワイヤ
ａ´自由端ワイヤ
ａ”ループ部
ｂ  ワイヤ縮径付勢機構
【図１】
2020124153.tif 000003
【図２】
2020124153.tif 000004
【図３】
2020124153.tif 000005